(57)【要約】【課題】コンセントからプラグを簡便に離脱させることができるプラグ装置、及びコンセントからプラグアダプターを簡便に離脱させることができるプラグアダプター装置を提供することを目的とする。【解決手段】本発明にかかるプラグ装置は、外力が加えられて押下される押下部材１１と、一方が押下部材１１に連結され、他方が鉤状の形状をなす移動部材側鉤部１５ａを有し、プラグ２０上で摺動自在に設けられる第一移動部材１５と、一方が第一移動部材１５の移動部材側鉤部１５ａに引っ掛かるような鉤状の形状をなす回転部材側鉤状部１６ａを有するとともに他方がプラグの端部の形状に沿った形状をなす沿端部１６ｂを有し、プラグ２０に回動自在に固定される回転部材１６とを備えるものである。【選択図】　図１
2004022323.tif 000002
【特許請求の範囲】
【請求項１】
プラグを有するプラグ装置であって、
外力が加えられて押下される押下手段と、
一方が該押下手段に連結され、他方が鉤状の形状をなす第一鉤状部を有し、前記プラグ上で摺動自在に設けられる移動手段と、
一方が該移動手段の前記第一鉤状部に引っ掛かるような鉤状の形状をなす第二鉤状部を有するとともに他方が前記プラグの端部の形状に沿った形状をなす沿端部を有し、前記プラグに回動自在に固定される回転手段とを備え、
前記押下手段への押下又は押下の解除に応じて、前記移動手段が前記プラグ上で移動し、該移動により前記回転手段が、前記移動手段の前記第一鉤状部と前記第二鉤状部とが連動しつつ前記プラグに固定される固定部を中心として回転し、該回転により前記沿端部が動作を行うプラグ装置。
【請求項２】
前記押下手段が押下された場合には、前記移動手段が前記プラグ上で移動し、該移動により前記回転手段が、前記移動手段の移動により前記移動手段の前記第一鉤状部と前記第二鉤状部とが接触した状態で前記プラグの固定部分を中心として回転し、該回転により前記沿端部が前記プラグの前記端部から突出することを特徴とする請求項１記載のプラグ装置。
【請求項３】
前記プラグと前記押下手段との間に弾性力を発生させる弾性手段が設けられ、
該弾性手段は、前記押下手段への押下により復元力を発生させ、
前記押下手段への押下が解除された場合には、前記移動手段が前記弾性手段の前記復元力により移動し、該移動により前記回転部手段が、前記移動手段の前記第一鉤状部と前記第二鉤状部とが接触した状態で前記プラグの固定部分を中心として回転し、該回転により前記押下手段への押下によって前記プラグの端部から突出する前記沿端部が収納されることを特徴とする請求項１記載のプラグ装置。
【請求項４】
電気プラグを有するプラグ装置であって、
外力が加えられて押下される押下手段と、
一方が該押下手段に連結され、他方が鉤状の形状をなす第一鉤状部を有し、前記プラグ上で摺動自在に設けられる移動手段と、
一方が該移動手段の前記鉤状部に引っ掛かるような鉤状の形状をなす第二鉤状部を有するとともに他方が前記プラグの端部の形状に沿った形状をなす沿端部を有し、前記プラグに回動自在に固定される回転手段と、
前記プラグと前記押下手段との間に設けられ、弾性力を発生させる弾性手段とを備え、
前記押下手段が押下された場合には、前記移動手段が前記プラグ上で移動し、該移動により前記回転手段が、前記移動手段の移動により前記移動手段の前記第一鉤状部と前記第二鉤状部とが接触した状態で前記プラグの固定部分を中心として回転し、該回転により前記沿端部が前記プラグの前記端部から突出し、
前記押下手段への押下が解除された場合には、前記移動手段が前記弾性手段の前記復元力により移動し、該移動により前記回転部手段が、前記移動手段の前記第一鉤状部と前記第二鉤状部とが接触した状態で前記プラグの固定部分を中心として回転し、該回転により前記押下手段への押下によって前記プラグの端部から突出する前記沿端部が収納されるプラグ装置。
【請求項５】
前記押下手段に、回動自在に設けられるとともに、前記押下手段が前記プラグを収納する筐体に押下されるのを停止する停止手段を備えるとともに、
前記筐体に、前記停止手段に係合する係合部を備え、
前記押下への押下を解除した場合には、前記筐体の前記係合部に前記停止手段を係合させて前記筐体と前記押下手段との間の距離を保つことを特徴とする請求項１乃至４のいずれか１つに記載のプラグ装置。
【請求項６】
プラグが接続されるプラグアダプターを有するプラグアダプター装置であって、
外力が加えられて押下される押下手段と、
一方が該押下手段に連結され、他方が鉤状の形状をなす第一鉤状部を有し、前記プラグアダプター上で摺動自在に設けられる移動手段と、
一方が該移動手段の前記鉤状部に引っ掛かるような鉤状の形状をなす第二鉤状部を有するとともに他方が前記プラグアダプターの端部の形状に沿った形状をなす沿端部を有し、前記プラグアダプターに回動自在に固定される回転手段とを備え、
前記押下手段への押下又は押下の解除に応じて、前記移動手段が前記プラグアダプター上で移動し、該移動により前記回転手段が、前記移動手段の前記第一鉤状部と前記第二鉤状部とが連動しつつ前記プラグアダプターに固定される固定部分を中心として回転し、該回転により前記沿端部が動作を行うプラグアダプター装置。
【請求項７】
前記押下手段が押下された場合には、前記移動手段が前記プラグアダプター上で移動し、該移動により前記回転手段が、前記移動手段の移動により前記移動手段の前記第一鉤状部と前記第二鉤状部とが接触した状態で前記プラグアダプターの固定部分を中心として回転し、該回転により前記沿端部が前記プラグアダプターの前記端部から突出することを特徴とする請求項６記載のプラグアダプター装置。
【請求項８】
前記プラグアダプターと前記押下手段との間に弾性力を発生させる弾性手段が設けられ、
該弾性手段は、前記押下手段への押下により復元力を発生させ、
前記押下手段への押下が解除された場合には、前記移動手段が前記弾性手段の前記復元力により移動し、該移動により前記回転部手段が、前記移動手段の前記第一鉤状部と前記第二鉤状部とが接触した状態で前記プラグアダプターの固定部分を中心として回転し、該回転により前記押下手段への押下によって前記プラグアダプターの端部から突出する前記沿端部が収納されることを特徴とする請求項６記載のプラグアダプター装置。
【請求項９】
電気プラグが接続されるプラグアダプターを有するプラグアダプター装置であって、
外力が加えられて押下される押下手段と、
一方が該押下手段に連結され、他方が鉤状の形状をなす第一鉤状部を有し、前記プラグアダプター上で摺動自在に設けられる移動手段と、
一方が該移動手段の前記鉤状部に引っ掛かるような鉤状の形状をなす第二鉤状部を有するとともに他方が前記プラグアダプターの端部の形状に沿った形状をなす沿端部を有し、前記プラグアダプターに回動自在に固定される回転手段と、
前記プラグアダプターと前記押下手段との間に設けられ、弾性力を発生させる弾性手段とを備え、
前記押下手段が押下された場合には、前記移動手段が前記プラグアダプター上で移動し、該移動により前記回転手段が、前記移動手段の移動により前記移動手段の前記第一鉤状部と前記第二鉤状部とが接触した状態で前記プラグアダプターの固定部分を中心として回転し、該回転により前記沿端部が前記プラグアダプターの前記端部から突出し、
前記押下手段への押下が解除された場合には、前記移動手段が前記弾性手段の前記復元力により移動し、該移動により前記回転部手段が、前記移動手段の前記第一鉤状部と前記第二鉤状部とが接触した状態で前記プラグアダプターの固定部分を中心として回転し、該回転により前記押下手段への押下によって前記プラグアダプターの端部から突出する前記沿端部が収納されるプラグアダプター装置。
【請求項１０】
前記押下手段に、回動自在に設けられるとともに、前記押下手段が前記プラグを収納する筐体に押下されるのを停止する停止手段を備えるとともに、
前記筐体に、前記停止手段に係合する係合部を備え、
前記押下への押下を解除した場合には、前記筐体の前記係合部に前記停止手段を係合させて前記筐体と前記押下手段との間の距離を保つことを特徴とする請求項６乃至９のいずれか１つに記載のプラグアダプター装置。
【発明の詳細な説明】
【０００１】
【発明が属する技術分野】
本発明は、プラグ装置及びプラグアダプター装置に関するものである。
【０００２】
【従来の技術】
従来、電気プラグは、電気機器の電気コードの先端に設けられ、壁や床などに設けられる凹側のコンセントにプラグの電極を差し込み、電機コードを介して電力を電気機器に電力を供給させる。壁のコンセントにプラグの電極を手動で差し込んだり抜き出したりするが、コンセントからプラグの電極を抜き出す際、プラグを固定するコンセントから電極を抜き出す瞬間に抵抗力が突然なくなる。そのため、プラグを持つ手を周囲にぶつけ、負傷を負う危険性がある。
【０００３】
さらに、プラグをコンセントから抜き出す際、プラグに接続されるコードを持ってコンセントからプラグを抜き出した場合にはコード内部の電気線が部分的に断線する怖れがあり、部分的断線によりプラグ部分から火災が発生する危険性がある。特に、コンセントが壁面に形成される場合や電気機器の裏側にコンセントが位置する場合には、コードを持って抜くことが多く、断線の危険性が発生し易い。
【０００４】
また、タップコンセントにプラグを差し込んで電気機器を使用する場合、タップコンセントからプラグを抜く際には、タップコンセントを片手で押さえ、さらにもう一方の片手でプラグを抜くこととなる。そのため、タップコンセントのような安定しないコンセントからプラグを片手で抜くことは困難であり、例えば、片手に荷物を持っている場合にように片手で抜きたい場合には不便が生じる。
【０００５】
さらにまた、コンセントからプラグの電極を抜く際、コンセントからプラグの電極が完全に抜けていない状態では電極に電力が供給されているため、プラグの電極を抜く途中に電極に手が触れ、手に電流が導通して感電する危険性も生じる。特に、片手でコンセントをプラグから抜く場合には、突然抵抗力がなくなってコンセントから抜けたプラグに手が接触し、感電する危険性が増大する。
【０００６】
このような問題を解決するために、例えば特開２０００−０６７９９７においては押すことにより抜けるプラグが開発されている。特開２０００−０６７９９７においては、プラグに設けられた２本のコネクタ間にある可動突起をプラグの背部分にある可動スライドを押すことによって突出させる。しかし、特開２０００−０６７９９７のプラグでは、可動スライドを押した場合に可動突起を突出させたとしても、可動スライド自体がコンセントから抜き出すプラグの本体に連結されていないため、可動突起がコンセント側を押す力がプラグ本体に伝えられず、プラグをコンセントから抜くことが困難である。
【０００７】
【発明が解決しようとする課題】
このように、従来のプラグをコンセントから離脱させる際に、コンセントにプラグが差し込まれて固定されているため、簡便に離脱させることができないという問題があった。
【０００８】
本発明は、このような問題点を解決するためになされたもので、コンセントからプラグを簡便に離脱させることができるプラグ装置、及びコンセントからプラグアダプターを簡便に離脱させることができるプラグアダプター装置を提供することを目的とする。
【０００９】
【課題を解決するための手段】
本発明にかかるプラグ装置は、プラグを有するプラグ装置（例えば、本発明の実施の形態におけるプラグ装置１０、３０、７０、９０）であって、外力が加えられて押下される押下手段（例えば、本発明の実施の形態における押下部材１１、３１、７１、９１）と、一方が該押下手段に連結され、他方が鉤状の形状をなす第一鉤状部（例えば、本発明の実施の形態における移動部材側鉤部１５ａ、３５ａ、７５ａ、９５ａ）を有し、前記プラグ上で摺動自在に設けられる移動手段（例えば、本発明の実施の形態における第一移動部材１５、３５、７５、９５や第二移動部材１７、３７、７７）と、一方が該移動手段の前記第一鉤状部に引っ掛かるような鉤状の形状をなす第二鉤状部（例えば、本発明の実施の形態における回転部材側鉤部１６ａ、３６ａ、７６ａ、９６ａ）を有するとともに他方が前記プラグの端部の形状に沿った形状をなす沿端部（例えば、本発明の実施の形態における沿端部１６ｂ、３６ｂ）を有し、前記プラグに回動自在に固定される回転手段（例えば、本発明の実施の形態における第一回転部材１６、３６、７６、９６や第二回転部材１８、３８、７８、９７）とを備え、前記押下手段への押下又は押下の解除に応じて、前記移動手段が前記プラグ上で移動し、該移動により前記回転手段が、前記移動手段の前記第一鉤状部と前記第二鉤状部とが連動しつつ前記プラグに固定される固定部を中心として回転し、該回転により前記沿端部が動作を行うものである。このような構成により、プラグの離脱を簡便に行うことができる。
【００１０】
さらに、本発明にかかるプラグ装置は、前記押下手段が押下された場合には、前記移動手段が前記プラグ上で移動し、該移動により前記回転手段が、前記移動手段の移動により前記移動手段の前記第一鉤状部と前記第二鉤状部とが接触した状態で前記プラグの固定部分を中心として回転し、該回転により前記沿端部が前記プラグの前記端部から突出するものである。これにより、回動手段の沿端部をプラグの端部から突出してプラグの離脱を簡便に行うことができる。
【００１１】
またさらに、本発明にかかるプラグ装置は、前記プラグと前記押下手段との間に弾性力を発生させる弾性手段（例えば、本発明の実施の形態における弾性部材１２）が設けられ、該弾性手段は、前記押下手段への押下により復元力を発生させ、前記押下手段への押下が解除された場合には、前記移動手段が前記弾性手段の前記復元力により移動し、該移動により前記回転部手段が、前記移動手段の前記第一鉤状部と前記第二鉤状部とが接触した状態で前記プラグの固定部分を中心として回転し、該回転により前記押下手段への押下によって前記プラグの端部から突出する前記沿端部が収納されるものである。これにより、プラグの端部から突出する沿端部を自動で収納させることができる。
【００１２】
また、本発明にかかるプラグ装置は、前記押下手段に、回動自在に設けられるとともに、前記押下手段が前記プラグを収納する筐体に押下されるのを停止する停止手段（例えば、本発明の実施の形態における停止部材１４、３４、７４、９４）を備えるとともに、前記筐体に、前記停止手段に係合する係合部（例えば、本発明の実施の形態における筐体側係合部１４ａ、３４ａ、７４ａ、９４ａ）を備え、前記押下への押下を解除した場合には、前記筐体の前記係合部に前記停止手段を係合させて前記筐体と前記押下手段との間の距離を保つものである。これにより、押下手段の筐体に対する位置を固定させることができる。
【００１３】
他方、本発明にかかるプラグ装置は、電気プラグを有するプラグ装置（例えば、本発明の実施の形態におけるプラグ装置１０、３０、７０、９０）であって、外力が加えられて押下される押下手段（例えば、本発明の実施の形態における押下部材１１、３１、７１、９１）と、一方が該押下手段に連結され、他方が鉤状の形状をなす第一鉤状部（例えば、本発明の実施の形態における移動部材側鉤部１５ａ、３５ａ、７５ａ、９５ａ）を有し、前記プラグ上で摺動自在に設けられる移動手段（例えば、本発明の実施の形態における第一移動部材１５、３５、７５、９５や第二移動部材１７、３７、７７）と、一方が該移動手段の前記鉤状部に引っ掛かるような鉤状の形状をなす第二鉤状部（例えば、本発明の実施の形態における回転部材側鉤部１６ａ、３６ａ、７６ａ、９６ａ）を有するとともに他方が前記プラグの端部の形状に沿った形状をなす沿端部（例えば、本発明の実施の形態における沿端部１６ｂ、３６ｂ）を有し、前記プラグに回動自在に固定される回転手段（例えば、本発明の実施の形態における第一回転部材１６、３６、７６、９６や第二回転部材１８、３８、７８、９７）と、前記プラグと前記押下手段との間に設けられ、弾性力を発生させる弾性手段（例えば、本発明の実施の形態における弾性部材１２）とを備え、前記押下手段が押下された場合には、前記移動手段が前記プラグ上で移動し、該移動により前記回転手段が、前記移動手段の移動により前記移動手段の前記第一鉤状部と前記第二鉤状部とが接触した状態で前記プラグの固定部分を中心として回転し、該回転により前記沿端部が前記プラグの前記端部から突出し、前記押下手段への押下が解除された場合には、前記移動手段が前記弾性手段の前記復元力により移動し、該移動により前記回転部手段が、前記移動手段の前記第一鉤状部と前記第二鉤状部とが接触した状態で前記プラグの固定部分を中心として回転し、該回転により前記押下手段への押下によって前記プラグの端部から突出する前記沿端部が収納されるものである。このような構成により、回動手段の沿端部をプラグの端部から突出してプラグの離脱を簡便に行うことができ、プラグの端部から突出する沿端部を自動で収納させることができる。
【００１４】
また、本発明にかかるプラグ装置は、前記押下手段に、回動自在に設けられるとともに、前記押下手段が前記プラグを収納する筐体に押下されるのを停止する停止手段（例えば、本発明の実施の形態における停止部材１４、３４）を備えるとともに、前記筐体に、前記停止手段に係合する係合部（例えば、本発明の実施の形態における筐体側係合部１４ａ）を備え、前記押下への押下を解除した場合には、前記筐体の前記係合部に前記停止手段を係合させて前記筐体と前記押下手段との間の距離を保つものである。これにより、押下手段の筐体に対する位置を固定させることができる。
【００１５】
本発明にかかるプラグアダプター装置は、プラグが接続されるプラグアダプターを有するプラグアダプター装置（例えば、本発明の実施の形態におけるプラグアダプター装置５０）であって、外力が加えられて押下される押下手段（例えば、本発明の実施の形態における押下部材５１）と、一方が該押下手段に連結され、他方が鉤状の形状をなす第一鉤状部（例えば、本発明の実施の形態における移動部材側鉤部５５ａ）を有し、前記プラグアダプター上で摺動自在に設けられる移動手段（例えば、本発明の実施の形態における第一移動部材５５や第二移動部材５８）と、一方が該移動手段の前記鉤状部に引っ掛かるような鉤状の形状をなす第二鉤状部（例えば、本発明の実施の形態における回転部材側鉤部５６ａ）を有するとともに他方が前記プラグアダプターの端部の形状に沿った形状をなす沿端部（例えば、本発明の実施の形態における沿端部５６ｂ）を有し、前記プラグアダプターに回動自在に固定される回転手段（例えば、本発明の実施の形態における第一回転部材５６や第二回転部材５９）とを備え、前記押下手段への押下又は押下の解除に応じて、前記移動手段が前記プラグアダプター上で移動し、該移動により前記回転手段が、前記移動手段の前記第一鉤状部と前記第二鉤状部とが連動しつつ前記プラグアダプターに固定される固定部分を中心として回転し、該回転により前記沿端部が動作を行うものである。このような構成により、プラグアダプターの離脱を簡便に行うことができる。
【００１６】
さらに、本発明にかかるプラグアダプター装置は、前記押下手段が押下された場合には、前記移動手段が前記プラグアダプター上で移動し、該移動により前記回転手段が、前記移動手段の移動により前記移動手段の前記第一鉤状部と前記第二鉤状部とが接触した状態で前記プラグアダプターの固定部分を中心として回転し、該回転により前記沿端部が前記プラグアダプターの前記端部から突出するものである。これにより、回動手段の沿端部をプラグアダプターの端部から突出してプラグアダプターの離脱を簡便に行うことができる。
【００１７】
またさらに、本発明にかかるプラグアダプター装置は、前記プラグアダプターと前記押下手段との間に弾性力を発生させる弾性手段が設けられ、該弾性手段は、前記押下手段への押下により復元力を発生させ、前記押下手段への押下が解除された場合には、前記移動手段が前記弾性手段の前記復元力により移動し、該移動により前記回転部手段が、前記移動手段の前記第一鉤状部と前記第二鉤状部とが接触した状態で前記プラグアダプターの固定部分を中心として回転し、該回転により前記押下手段への押下によって前記プラグアダプターの端部から突出する前記沿端部が収納されるものである。これにより、プラグアダプターの端部から突出する沿端部を自動で収納させることができる。
【００１８】
また、本発明にかかるプラグアダプター装置は、前記押下手段に、回動自在に設けられるとともに、前記押下手段が前記プラグを収納する筐体に押下されるのを停止する停止手段（例えば、本発明の実施の形態における停止部材５４）を備えるとともに、前記筐体に、前記停止手段に係合する係合部（例えば、本発明の実施の形態における筐体側係合部５４ａ）を備え、前記押下への押下を解除した場合には、前記筐体の前記係合部に前記停止手段を係合させて前記筐体と前記押下手段との間の距離を保つものである。これにより、押下手段の筐体に対する位置を固定させることができる。
【００１９】
他方、本発明にかかるプラグアダプター装置は、電気プラグが接続されるプラグアダプターを有するプラグアダプター装置（例えば、本発明の実施の形態におけるプラグアダプター装置５０）であって、外力が加えられて押下される押下手段（例えば、本発明の実施の形態における押下部材５１）と、一方が該押下手段に連結され、他方が鉤状の形状をなす第一鉤状部（例えば、本発明の実施の形態における移動部材側鉤部５５ａ）を有し、前記プラグアダプター上で摺動自在に設けられる移動手段（例えば、本発明の実施の形態における第一移動部材５５や第二移動部材５８）と、一方が該移動手段の前記鉤状部に引っ掛かるような鉤状の形状をなす第二鉤状部（例えば、本発明の実施の形態における回転部材側鉤部５６ａ）を有するとともに他方が前記プラグアダプターの端部の形状に沿った形状をなす沿端部（例えば、本発明の実施の形態における沿端部５６ｂ）を有し、前記プラグアダプターに回動自在に固定される回転手段（例えば、本発明の実施の形態における第一回転部材５６や第二回転部材５９）と、前記プラグアダプターと前記押下手段との間に設けられ、弾性力を発生させる弾性手段とを備え、前記押下手段が押下された場合には、前記移動手段が前記プラグアダプター上で移動し、該移動により前記回転手段が、前記移動手段の移動により前記移動手段の前記第一鉤状部と前記第二鉤状部とが接触した状態で前記プラグアダプターの固定部分を中心として回転し、該回転により前記沿端部が前記プラグアダプターの前記端部から突出し、前記押下手段への押下が解除された場合には、前記移動手段が前記弾性手段の前記復元力により移動し、該移動により前記回転部手段が、前記移動手段の前記第一鉤状部と前記第二鉤状部とが接触した状態で前記プラグアダプターの固定部分を中心として回転し、該回転により前記押下手段への押下によって前記プラグアダプターの端部から突出する前記沿端部が収納されるものである。このような構成により、回動手段の沿端部をプラグアダプターの端部から突出してプラグアダプターの離脱を簡便に行うことができ、プラグアダプターの端部から突出する沿端部を自動で収納させることができる。
【００２０】
また、本発明にかかるプラグアダプター装置は、前記押下手段に、回動自在に設けられるとともに、前記押下手段が前記プラグを収納する筐体に押下されるのを停止する停止手段（例えば、本発明の実施の形態における停止部材５４）を備えるとともに、前記筐体に、前記停止手段に係合する係合部（例えば、本発明の実施の形態における筐体側係合部５４ａ）を備え、前記押下への押下を解除した場合には、前記筐体の前記係合部に前記停止手段を係合させて前記筐体と前記押下手段との間の距離を保つものである。これにより、押下手段の筐体に対する位置を固定させることができる。
【００２１】
【発明の実施の形態】
以下、本発明における実施の形態について図を参照して説明する。
【００２２】
本発明の実施の形態においては、一般的な電気装置に電力を供給するプラグ、マイクやイヤホンなどの入出力装置を接続して電気信号の送受信を行うプラグに適用した入出力プラグ装置、複数のプラグを接続されて複数の電気装置に対して電力を供給するプラグアダプターに適用したプラグアダプター装置について説明する。
【００２３】
［第一の実施形態］
まず、第一の実施形態におけるプラグ装置の構造について説明する。図１は、本発明における実施形態の一形態例を示す斜視図である。ここで、図１に示すプラグ装置１０は、例えば電気プラグを有するプラグ装置の一形態である。図１に示すように、プラグ装置１０は、プラグ２０と、プラグ２０の外部を覆う筐体１４とを有する。プラグ２０は、内部に電気線が収納され、導通部材２０ｂを電気コンセントに差し込む一般的な電気プラグである。なお、図１においては、コンセントの凹部に差し込むプラグ側筐体２０ａから突出する導通部材２０ｂが二本であるが、導通部材２０ｂの本数は、アース線に接続される導通部材が形成されて三本であっても良く、種々の本数を有するプラグ２０を用いることができる。また、プラグ２０には電気線を収納するコード２２が連結される。コード２２は、筐体１４上の接合部材２１により筐体１４と連結され、さらには筐体１４の内部のプラグ２０に連結されている。なお、図１においては、プラグ装置１０のコード２２はプラグ装置１０の側面つまり押下部材１１に対して略垂直な側面に形成されているが、押下部材１１に形成することができる。この場合、押下部材１１を通ってプラグ２０にコード２２が連結するように、押下部材１１に貫通孔が形成される。貫通孔は、押下部材１１が可動となるように余裕を持った大きさに形成される。コード２２は、貫通孔を通って押下部材１１とプラグ２０との間の弾性部材に当たらないようにしてプラグ２０に接続される。
【００２４】
プラグ２０は筐体１４に収納され、図１においてはプラグ２０の全体を筐体１４により覆われている。プラグ２０とプラグ２０を収納する筐体１４とは着脱自在に固定しても良いし、プラグ２０とプラグ側筐体２０ａとを一体に形成しても良い。例えば、図１においては、プラグ２０の外部に設けられる筐体１４は、筐体１４の側面でプラグ２０と着脱自在に固定され、プラグ２０を筐体１４から滑らせて外すことができる構造となっている。筐体１４は、ゴムや合成樹脂などの材料、あるいはアルミニウムのような金属などから構成されるが、プラグ２０の導電部材２１が電気的にコンセントと接続されるため、電気を帯びないゴムや合成樹脂などの材料であることが好ましい。特に、筐体１４は、人が触れる部分であるため、電気を帯びない材料を用いることにより安全にプラグ装置１０をコンセントに装着させることができる。筐体１４の形状は、プラグ２０を収納することができる形状である。例えば、図１に示すように、断面略矩形形状、断面略円形形状とすることができる。また、筐体１４の内部には、プラグ２０をコンセントから抜き出すための機構が設けられるため、機構が設けることができるように余裕が設けられる。そのため、筐体１４の形状は、断面略矩形形状とすることが好ましい。なお、筐体１４の大きさを大きくしすぎると、一般の従来におけるコンセントやタップコンセントに複数のプラグ装置１０を差し込むことが困難となる。そのため、プラグ装置２０は、従来のコンセントやタップコンセントのコンセントの大きさや間隔を考慮して設計される。
【００２５】
筐体１４とプラグ２０との間には、プラグ２０をコンセントから抜き出すための機構が設けられている。図１に示すように、プラグ２０をコンセントから抜き出すための機構は、プラグ２０のプラグ側筐体２０ａ上に設けられる移動部材及び回転部材を有する。移動部材及び回転部材は、ゴムや合成樹脂などの材料、あるいはアルミニウムのような金属などから構成されるが、プラグ２０の導電部材２１が電気的にコンセントと接続されるため、電気を帯びないゴムや合成樹脂などの材料であることが好ましい。移動部材は、プラグ２０をコンセントから抜き出すために押す押下部材１１に連結され、押下部材１１を押すことによりコンセントが形成される面に対して略垂直な方向に移動する。回転部材は、固定部材によりプラグ側筐体２０ａに固定され、固定部分を中心に回動自在に固定される。固定部材は、ゴムや合成樹脂などの材料、あるいはアルミニウムのような金属などから構成されるが、プラグ２０の導電部材２１が電気的にコンセントと接続されるため、電気を帯びない材料であることが好ましい。より好ましくは、固定部材は、回転部材をプラグ側筐体２０ａに固定するため、強固な材料、伝導性の低い金属材料を用いて構成することが好ましい。ここで、図１において、移動部材と回転部材は、断面略矩形形状のプラグ側筐体２０ａの二面に設けられ、図１中でプラグ側筐体２０ａの上側には第一移動部材１５、第一回転部材１６、第一固定部材１９とが設けられ、図１中でプラグ側筐体２０ａの下側には第二移動部材１７、第二回転部材１８、図示しない第二固定部材とが設けられる。ここで、図１においてはプラグ２０をコンセントから抜き出すための機構がプラグ側筐体２０ａの上下の二面に設けられているが、プラグ側筐体２０ａの四面のすべてに設けても良い。なお、プラグ２０を従来のコンセントやタップコンセントのコンセント間隔を考慮する場合、プラグ側筐体２０ａの四面のすべてに設けるとプラグ装置１０が大きくなるので、図１に示すようにプラグ側筐体２０ａの二面にプラグ２０をコンセントから抜き出すための機構を設けるのが好ましい。
【００２６】
プラグ側筐体２０ａ上の第一移動部材１５は、略平板上の形状を有する。図１に示すように、押下部材１１に連結される一端とは異なる第一移動部材１５の他端には、移動部材側鉤部１５ａが形成されている。移動部材側鉤部１５ａは、第一回転部材１６の一端が挿入される凹形状であり、図１のような「ワ」の字状の凹形状である。第一回転部材１６は、第一移動部材１５と同様に、略平板状の形状を有する。図１に示すように、第一回転部材１６の一端に第一移動部材１５の移動部材側鉤部１５ａに挿入される回転部材側鉤部１６ａが形成され、他端にはプラグ側筐体２０ａの外縁を表わす端部に沿った沿端部１６ｂが形成されている。回転部材側鉤部１６ａは、第一移動部材１５の移動部材側鉤部１５ａに挿入される凸形状であり、図１のような「く」の字状の凸形状である。回転部材側鉤部１６ａは、余裕を持って移動部材側鉤部１５ａに挿入されており、後述するように、移動部材側鉤部１５ａの「ワ」の字状の凹形状の内部を動き、第一固定部材１９を中心に「ワ」の字状の凹形状の内部を回転する。図１に示すように、回転部材側鉤部１６ａは「く」の字の一端をなすのに対して、沿端部１６ｂは、「く」の字の他端をなし、押下部材１１が押されていない状態のときにはプラグ側筐体２０ａの端部に沿っており、略直線形状をなしている。また、第一回転部材１６の「く」の字の頂点をなす部分は、筐体１４に収納されるとともに第一回転部材１６が回転する際に筐体１４に詰まることがないように滑らかな形状をなす。プラグ側筐体２０ａの下面に形成されるプラグ２０をコンセントから抜き出すための機構は、プラグ側筐体２０ａの上面に形成されるプラグ２０をコンセントから抜き出すための機構と同様に形成されるが、図１に示すように、第一回転部材１６の沿端部１６ｂと第二回転部材１８の沿端部とは逆向きの「く」の字状の形状で筐体１４から突出する。すなわち、図１において、プラグ装置１０の上下を逆にすると、プラグ側筐体２０ａの下面に形成されるプラグ２０をコンセントから抜き出すための機構は、図１と同一となるように対称性を有するようにプラグ側筐体２０ａの下面に形成される。
【００２７】
押下部材１１は、略平板状の形状でも、人が押しやすいように凹形状の窪みを形成した形状でも良い。このとき、第一移動部材１５及び第二移動部材１７とが連結する側の形状は、押下部材１１を押した際にプラグ側筐体２０ａに当たるため、略平面状の形状であることが好ましい。押下部材１１は、ゴムや合成樹脂などの材料、あるいはアルミニウムのような金属などから構成されるが、プラグ２０の導電部材２１が電気的にコンセントと接続されるため、電気を帯びないゴムや合成樹脂などの材料であることが好ましい。特に、押下部材１１は、人が触れる部分であるため、電気を帯びない材料を用いることにより安全にプラグ装置１０を離脱させることができる。図１においては図示しないが、押下部材１１とプラグ側筐体２０ａとの間には、凹下部材１１を押した後に自動的に押下部材１１が元に戻るように弾性部材が設けられている。また、図１に示すように、停止部材１３が設けられ、停止部材１３は押下部材１１に回動自在に設けられる。押下部材１１には、停止部材を引っ掛けて固定する押下部材側係合部１１ａが設けられる。停止部材１３は、図１中においては、上下方向に押下部材１１を貫通して設けられ、貫通する貫通部分を軸として回転することができる。停止部材１３は、合成樹脂やアルミニウムのような金属などから構成されるが、押下部材１１が押されていないときに押下部材１１が押されるのを防止するため、合成樹脂や金属などの強固な材料であることが好ましい。筐体１４には、停止部材１３が引っ掛かる筐体側係合部１４ａが設けられており、押下部材１１の貫通部分を軸として筐体１４の方向へと回転した後に筐体側係合部１４ａに固定される。また、例えば押下部材１１の表面に、プラグ装置１０がどのような電気機器に接続されているか表示するシールなどを貼ることができる。この場合には、プラグ装置１０に接続される電気機器を視覚的にわかり易くすることができる。
【００２８】
次に、第一の実施形態におけるプラグ装置の動作について説明する。図２は本発明におけるプラグ装置の動作を示す断面図であり、図２（ａ）は押下部材１１の押下前、図２（ｂ）は押下部材１１の押下後を示す。図２においては、図１中下側に形成されるプラグ２０をコンセントから抜き出すための機構の部分を図示しないが、図１中上側にプラグ２０をコンセントから抜き出すための機構と連動して動作を行う。このとき、前述のような両側の機構の構造が点対称に設けられるため、第一回転部材１６と第二回転部材１８とは点対称にプラグ２０の端部から突出する。
【００２９】
図２（ａ）に示すように、プラグ装置１０をコンセントに差し込んだとき、押下部材１１は押されていない。そのため、移動部材１５、１７（以下、第一移動部材１５及び第二移動部材１７を移動部材１５、１７と略す）や回転部材１６、１８（以下、第一回転部材１６及び第二回転部材１８を回転部材１６、１８と略す）は動作しておらず、移動部材側鉤部と回転部材側鉤部とはそれぞれ、「ワ」の字状の凹形状の入口部分で接した状態で静止している。このとき、図２（ａ）に示すように、回転部材鉤部の「く」の字状の凸部の先端が移動部材鉤部の「ワ」の字状の凹部を塞ぐように引っ掛かり、移動部材と回転部材とが静止している。また、停止部材１３は押下部材側係合部１１ａに引っ掛けられた状態であっても良いし、筐体側係合部１４ａに引っ掛けられた状態でも良い。停止部材１３を筐体側係合部１４ａに引っ掛けた場合には、押下部材１１が誤って押され、プラグ装置１０がコンセントから離脱するのを防止することができる。
【００３０】
図２（ｂ）に示すように、プラグ装置１０をコンセントから離脱する際に押下部材１１を押すと、移動部材１５、１７が押されてプラグ側筐体２０ａ上を図２中で右方向に移動する。これにより、回転部材１６、１８が、移動部材側鉤部１６ａ及び第二移動部材の鉤部により押されて第一固定部材１９及び第二固定部材（図示せず）を中心として回転する。このとき、移動部材１５、１７は、移動部材側鉤部１５ａと回転部材側鉤部１６ａとの接触部分（図２中で移動部材側鉤部１５ａと回転部材側鉤部１６ａとが接触する回動部材１６、１８の左側の接触部分）を図２中で右方向に押す。図２（ｂ）に示すように、移動部材側鉤部の左側部分と回転部材側鉤部の左側部分とが曲線を帯びた形状であるため、曲線に沿って接触した状態で押される。この後、図２（ｂ）に示すように、移動部材１５と回転部材１６、移動部材１７と回転部材１８とが接した状態で回転し、回転部材１６、１８は移動部材１５、１７により、移動部材１５、１７の移動部材鉤部内を回転部材１６、１８の回転部材側鉤部が接触した状態で押され続ける。そして、押下部材１１がプラグ２０に至って接触すると、押下部材１１が止まり、移動部材１５、１７の移動が停止する。それと同時に、押下部材１１とプラグ２０との間に設けられる弾性部材１２は、押下部材１１とプラグ２０とによる圧力で弾性エネルギーを有する。回転部材１６、１８が回転すると、回転部材１６、１８の沿端部が筐体１４から突出する。突出する沿端部は、コンセントが形成された壁やタップコンセントの筐体を押す。このとき、回転部材１６、１８が固定部材によりプラグ２０に固定されるため、回転部材１６、１８が壁などを押す力は固定部材を介してプラグ２０に伝達され、さらにはプラグ装置１０全体に伝達される。
【００３１】
このように、プラグ装置１０に伝達された力により、押下部材１１に対して筐体１４が図２中で左方向に動いてプラグ装置１０はコンセントから抜くことができる。また、図１に示すように、プラグ装置１０を抜く機構を上下点対称に設けることにより、上下左右にバランス良く力を伝達することができ、容易に抜くことができる。プラグ装置１０がコンセントから抜けると、弾性部材１２の弾性エネルギーにより発生する復元力により、押下部材１１とプラグ２０とは離されて元の状態へと戻る。このとき、移動部材１５、１７は、移動部材側鉤部１５ａと回転部材側鉤部１６ａとの接触部分（図２中で移動部材側鉤部１５ａと回転部材側鉤部１６ａとが接触する回動部材１６、１８の右側の接触部分）を図２中で左方向に押す。これにより、回転部材１６、１８を固定する固定部材を中心に回転部材１６、１８は回転する。また、図２（ａ）に示すように、回転部材鉤部の「く」の字状の凸部の先端が移動部材鉤部の「ワ」の字状の凹部を塞ぐように引っ掛かるため、押下部材１１は必要以上に弾性部材１２により押されることがなく、押下部材１１は元に状態に戻って静止することができる。
【００３２】
［第二の実施形態］
第二の実施形態におけるプラグ装置の構造について説明する。ここで、第二の実施形態におけるプラグ装置の構造について説明するが、第二の実施形態のプラグ装置は、第一の実施形態と同様に動作を行い、押下部材を押すことによりプラグ装置をコンセントから離脱させることができ、ここでは第二の実施形態の動作についての説明を省略する。
【００３３】
図３は、本発明における実施形態の一形態例を示す斜視図である。ここで、図３に示すプラグ装置は、例えば電気プラグを有する入出力プラグ装置の一形態である。図３に示すように、入出力プラグ装置３０は、プラグ４０と、プラグ４０の外部を覆う筐体３４とを有する。プラグ４０は、内部に電気線が収納され、電気信号などを送受信するコンセントに導通部材４０ｂを差し込む一般的なプラグである。なお、図３においては、コンセントの凹部に差し込むプラグ側筐体４０ａから突出する導通部材４０ｂが一本であるが、導通部材４０ｂの本数は、アース線に接続される導通部材が形成されて三本であっても良く、種々の本数を有するプラグ４０を用いることができる。また、プラグ４０には電気線を収納するコード４２が連結される。コード４２は、筐体３４上の接合部材４１により筐体３４と連結され、さらには筐体３４の内部のプラグ４０に連結されている。なお、図３においては、入出力プラグ装置３０のコード４２は入出力プラグ装置３０の側面つまり押下部材３１に対して略垂直な側面に形成されているが、押下部材３１に形成することができる。この場合、押下部材３１を通ってプラグ４０にコード４２が連結するように、押下部材３１に貫通孔が形成される。貫通孔は、押下部材３１が可動となるように余裕を持った大きさに形成される。コード４２は、貫通孔を通って押下部材３１とプラグ４０との間の弾性部材に当たらないようにしてプラグ４０に接続される。
【００３４】
プラグ４０は筐体３４に収納され、図３においてはプラグ４０の全体を筐体３４により覆われている。プラグ４０とプラグ４０を収納する筐体３４とは着脱自在に固定しても良いし、プラグ４０とプラグ側筐体４０ａとを一体に形成しても良い。例えば、図３においては、プラグ４０の外部に設けられる筐体３４は、筐体３４の側面でプラグ４０と着脱自在に固定され、プラグ４０を筐体３４から滑らせて外すことができる構造となっている。筐体３４は、ゴムや合成樹脂などの材料、あるいはアルミニウムのような金属などから構成されるが、プラグ４０の導電部材４１が電気的にコンセントと接続されるため、電気を帯びないゴムや合成樹脂などの材料であることが好ましい。特に、筐体３４は、人が触れる部分であるため、電気を帯びない材料を用いることにより安全に入出力プラグ装置３０をコンセントに装着させることができる。筐体３４の形状は、プラグ４０を収納することができる形状である。例えば、図３に示すように、断面略矩形形状、断面略円形形状とすることができる。また、筐体３４の内部には、プラグ４０をコンセントから抜き出すための機構が設けられるため、機構が設けることができるように余裕が設けられる。そのため、筐体３４の形状は、断面略矩形形状とすることが好ましい。なお、筐体３４の大きさを大きくしすぎると、一般の従来におけるコンセントやタップコンセントに複数の入出力プラグ装置３０を差し込むことが困難となる。そのため、入出力プラグ装置３０は、従来のコンセントやタップコンセントのコンセントの大きさや間隔を考慮して設計される。
【００３５】
筐体３４とプラグ４０との間には、プラグ４０をコンセントから抜き出すための機構が設けられている。図３に示すように、プラグ４０をコンセントから抜き出すための機構は、プラグ４０のプラグ側筐体４０ａ上に設けられる移動部材及び回転部材を有する。移動部材及び回転部材は、ゴムや合成樹脂などの材料、あるいはアルミニウムのような金属などから構成されるが、プラグ４０の導電部材４１が電気的にコンセントと接続されるため、電気を帯びないゴムや合成樹脂などの材料であることが好ましい。移動部材は、プラグ４０をコンセントから抜き出すために押す押下部材３１に連結され、押下部材３１を押すことによりコンセントが形成される面に対して略垂直な方向に移動する。回転部材は、固定部材によりプラグ側筐体４０ａに固定され、固定部分を中心に回動自在に固定される。固定部材は、ゴムや合成樹脂などの材料、あるいはアルミニウムのような金属などから構成されるが、プラグ４０の導電部材４１が電気的にコンセントと接続されるため、電気を帯びない材料であることが好ましい。より好ましくは、固定部材は、回転部材をプラグ側筐体４０ａに固定するため、強固な材料、伝導性の低い金属材料を用いて構成することが好ましい。ここで、図３において、移動部材と回転部材は、断面略矩形形状のプラグ側筐体４０ａの二面に設けられ、図３中でプラグ側筐体４０ａの上側には第一移動部材３５、第一回転部材３６、第一固定部材３９とが設けられ、図３中でプラグ側筐体４０ａの下側には第二移動部材３７、第二回転部材３８、図示しない第二固定部材とが設けられる。ここで、図３においてはプラグ４０をコンセントから抜き出すための機構がプラグ側筐体４０ａの上下の二面に設けられているが、プラグ側筐体４０ａの四面のすべてに設けても良い。なお、プラグ４０を従来のコンセントやタップコンセントのコンセント間隔を考慮する場合、プラグ側筐体４０ａの四面のすべてに設けると入出力プラグ装置３０が大きくなるので、図３に示すようにプラグ側筐体４０ａの二面にプラグ４０をコンセントから抜き出すための機構を設けるのが好ましい。
【００３６】
プラグ側筐体４０ａ上の第一移動部材３５は、略平板上の形状を有する。図３に示すように、押下部材３１に連結される一端とは異なる第一移動部材３５の他端には、移動部材側鉤部３５ａが形成されている。移動部材側鉤部３５ａは、第一回転部材３６の一端が挿入される凹形状であり、図３のような「ワ」の字状の凹形状である。第一回転部材３６は、第一移動部材３５と同様に、略平板状の形状を有する。図３に示すように、第一回転部材３６の一端に第一移動部材３５の移動部材側鉤部３５ａに挿入される回転部材側鉤部３６ａが形成され、他端にはプラグ側筐体４０ａの外縁を表わす端部に沿った沿端部３６ｂが形成されている。回転部材側鉤部３６ａは、第一移動部材３５の移動部材側鉤部３５ａに挿入される凸形状であり、図３のような「く」の字状の凸形状である。回転部材側鉤部３６ａは、余裕を持って移動部材側鉤部３５ａに挿入されており、後述するように、移動部材側鉤部３５ａの「ワ」の字状の凹形状の内部を動き、第一固定部材３９を中心に「ワ」の字状の凹形状の内部を回転する。図３に示すように、回転部材側鉤部３６ａは「く」の字の一端をなすのに対して、沿端部３６ｂは、「く」の字の他端をなし、押下部材３１が押されていない状態のときにはプラグ側筐体４０ａの端部に沿っており、略直線形状をなしている。また、第一回転部材３６の「く」の字の頂点をなす部分は、筐体３４に収納されるとともに第一回転部材３６が回転する際に筐体３４に詰まることがないように滑らかな形状をなす。プラグ側筐体４０ａの下面に形成されるプラグ４０をコンセントから抜き出すための機構は、プラグ側筐体４０ａの上面に形成されるプラグ４０をコンセントから抜き出すための機構と同様に形成されるが、図３に示すように、第一回転部材３６の沿端部３６ｂと第二回転部材３８の沿端部とは逆向きの「く」の字状の形状で筐体３４から突出する。すなわち、図３において、入出力プラグ装置３０の上下を逆にすると、プラグ側筐体４０ａの下面に形成されるプラグ４０をコンセントから抜き出すための機構は、図３と同一となるように対称性を有するようにプラグ側筐体４０ａの下面に形成される。
【００３７】
押下部材３１は、略平板状の形状でも、人が押しやすいように凹形状の窪みを形成した形状でも良い。このとき、第一移動部材３５及び第二移動部材３７とが連結する側の形状は、押下部材３１を押した際にプラグ側筐体４０ａに当たるため、略平面状の形状であることが好ましい。押下部材３１は、ゴムや合成樹脂などの材料、あるいはアルミニウムのような金属などから構成されるが、プラグ４０の導電部材４１が電気的にコンセントと接続されるため、電気を帯びないゴムや合成樹脂などの材料であることが好ましい。特に、押下部材３１は、人が触れる部分であるため、電気を帯びない材料を用いることにより安全に入出力プラグ装置３０を離脱させることができる。図３においては図示しないが、押下部材３１とプラグ側筐体４０ａとの間には、凹下部材３１を押した後に自動的に押下部材３１が元に戻るように弾性部材が設けられている。また、図３に示すように、停止部材３３が設けられ、停止部材３３は押下部材３１に回動自在に設けられる。押下部材３１には、停止部材を引っ掛けて固定する押下部材側係合部３１ａが設けられる。停止部材３３は、図３中においては、上下方向に押下部材３１を貫通して設けられ、貫通する貫通部分を軸として回転することができる。停止部材３３は、合成樹脂やアルミニウムのような金属などから構成されるが、押下部材３１が押されていないときに押下部材３１が押されるのを防止するため、合成樹脂や金属などの強固な材料であることが好ましい。筐体３４には、停止部材３３が引っ掛かる筐体側係合部３４ａが設けられており、押下部材３１の貫通部分を軸として筐体３４の方向へと回転した後に筐体側係合部３４ａに固定される。また、例えば押下部材３１の表面に、入出力プラグ装置３０がどのような電気機器に接続されているか表示するシールなどを貼ることができる。この場合には、入出力プラグ装置３０に接続される電気機器を視覚的にわかり易くすることができる。
【００３８】
［第三の実施形態］
第三の実施形態におけるプラグアダプター装置の構造について説明する。ここで、第三の実施形態におけるプラグアダプター装置の構造について説明するが、第三の実施形態のプラグアダプター装置は、第一の実施形態と同様に動作を行い、押下部材を押すことによりプラグアダプター装置をコンセントから離脱させることができ、ここでは第三の実施形態の動作についての説明を省略する。
【００３９】
図４は、本発明における実施形態の一形態例を示す斜視図である。ここで、図４に示すプラグアダプター装置５０は、例えば電気プラグアダプターを有するプラグアダプター装置の一形態である。図４に示すように、プラグアダプター装置５０は、プラグアダプター６０と、プラグアダプター６０の外部を覆う筐体５４とを有する。プラグアダプター６０は、内部に電気線が収納され、導通部材６０ｂを電気コンセントに差し込む一般的な電気プラグアダプターである。なお、図４においては、コンセントの凹部に差し込むプラグアダプター側筐体６０ａから突出する導通部材６０ｂが二本であるが、導通部材６０ｂの本数は、アース線に接続される導通部材が形成されて三本であっても良く、種々の本数を有するプラグアダプター６０を用いることができる。また、プラグアダプター６０は他の電気機器が有する電気線のプラグが連結される。嵌合部６１は、筐体５４上の嵌合部６１により筐体５４と連結され、さらには筐体５４の内部のプラグアダプター６０に連結されている。
【００４０】
プラグアダプター６０は筐体５４に収納され、図４においてはプラグアダプター６０の全体を筐体５４により覆われている。プラグアダプター６０とプラグアダプター６０を収納する筐体５４とは着脱自在に固定しても良いし、プラグアダプター６０とプラグアダプター側筐体６０ａとを一体に形成しても良い。例えば、図４においては、プラグアダプター６０の外部に設けられる筐体５４は、筐体５４の側面でプラグアダプター６０と着脱自在に固定され、プラグアダプター６０を筐体５４から滑らせて外すことができる構造となっている。筐体５４は、ゴムや合成樹脂などの材料、あるいはアルミニウムのような金属などから構成されるが、プラグアダプター６０の導電部材６１が電気的にコンセントと接続されるため、電気を帯びないゴムや合成樹脂などの材料であることが好ましい。特に、筐体５４は、人が触れる部分であるため、電気を帯びない材料を用いることにより安全にプラグアダプター装置５０をコンセントに装着させることができる。筐体５４の形状は、プラグアダプター６０を収納することができる形状である。例えば、図４に示すように、断面略矩形形状、断面略円形形状とすることができる。また、筐体５４の内部には、プラグアダプター６０をコンセントから抜き出すための機構が設けられるため、機構が設けることができるように余裕が設けられる。そのため、筐体５４の形状は、断面略矩形形状とすることが好ましい。なお、筐体５４の大きさを大きくしすぎると、一般の従来におけるコンセントやタップコンセントに複数のプラグアダプター装置５０を差し込むことが困難となる。そのため、プラグアダプター装置６０は、従来のコンセントやタップコンセントのコンセントの大きさや間隔を考慮して設計される。
【００４１】
筐体５４とプラグアダプター６０との間には、プラグアダプター６０をコンセントから抜き出すための機構が設けられている。図４に示すように、プラグアダプター６０をコンセントから抜き出すための機構は、プラグアダプター６０のプラグアダプター側筐体６０ａ上に設けられる移動部材及び回転部材を有する。移動部材及び回転部材は、ゴムや合成樹脂などの材料、あるいはアルミニウムのような金属などから構成されるが、プラグアダプター６０の導電部材６１が電気的にコンセントと接続されるため、電気を帯びないゴムや合成樹脂などの材料であることが好ましい。移動部材は、プラグアダプター６０をコンセントから抜き出すために押す押下部材５１に連結され、押下部材５１を押すことによりコンセントが形成される面に対して略垂直な方向に移動する。回転部材は、固定部材によりプラグアダプター側筐体６０ａに固定され、固定部分を中心に回動自在に固定される。固定部材は、ゴムや合成樹脂などの材料、あるいはアルミニウムのような金属などから構成されるが、プラグアダプター６０の導電部材６１が電気的にコンセントと接続されるため、電気を帯びない材料であることが好ましい。より好ましくは、固定部材は、回転部材をプラグアダプター側筐体６０ａに固定するため、強固な材料、伝導性の低い金属材料を用いて構成することが好ましい。ここで、図４において、移動部材と回転部材は、断面略矩形形状のプラグアダプター側筐体６０ａの二面に設けられ、図４中でプラグアダプター側筐体６０ａの上側には第一移動部材５５、第一回転部材５６、第一固定部材５９とが設けられ、図４中でプラグアダプター側筐体６０ａの下側には第二移動部材５７、第二回転部材５８、図示しない第二固定部材とが設けられる。ここで、図４においてはプラグアダプター６０をコンセントから抜き出すための機構がプラグアダプター側筐体６０ａの上下の二面に設けられているが、プラグアダプター側筐体６０ａの四面のすべてに設けても良い。なお、プラグアダプター６０を従来のコンセントやタップコンセントのコンセント間隔を考慮する場合、プラグアダプター側筐体６０ａの四面のすべてに設けるとプラグアダプター装置５０が大きくなるので、図４に示すようにプラグアダプター側筐体６０ａの二面にプラグアダプター６０をコンセントから抜き出すための機構を設けるのが好ましい。
【００４２】
プラグアダプター側筐体６０ａ上の第一移動部材５５は、略平板上の形状を有する。図４に示すように、押下部材５１に連結される一端とは異なる第一移動部材５５の他端には、移動部材側鉤部５５ａが形成されている。移動部材側鉤部５５ａは、第一回転部材５６の一端が挿入される凹形状であり、図４のような「ワ」の字状の凹形状である。第一回転部材５６は、第一移動部材５５と同様に、略平板状の形状を有する。図４に示すように、第一回転部材５６の一端に第一移動部材５５の移動部材側鉤部５５ａに挿入される回転部材側鉤部５６ａが形成され、他端にはプラグアダプター側筐体６０ａの外縁を表わす端部に沿った沿端部５６ｂが形成されている。回転部材側鉤部５６ａは、第一移動部材５５の移動部材側鉤部５５ａに挿入される凸形状であり、図４のような「く」の字状の凸形状である。回転部材側鉤部５６ａは、余裕を持って移動部材側鉤部５５ａに挿入されており、後述するように、移動部材側鉤部５５ａの「ワ」の字状の凹形状の内部を動き、第一固定部材５９を中心に「ワ」の字状の凹形状の内部を回転する。図４に示すように、回転部材側鉤部５６ａは「く」の字の一端をなすのに対して、沿端部５６ｂは、「く」の字の他端をなし、押下部材５１が押されていない状態のときにはプラグアダプター側筐体６０ａの端部に沿っており、略直線形状をなしている。また、第一回転部材５６の「く」の字の頂点をなす部分は、筐体５４に収納されるとともに第一回転部材５６が回転する際に筐体５４に詰まることがないように滑らかな形状をなす。プラグアダプター側筐体６０ａの下面に形成されるプラグアダプター６０をコンセントから抜き出すための機構は、プラグアダプター側筐体６０ａの上面に形成されるプラグアダプター６０をコンセントから抜き出すための機構と同様に形成されるが、図４に示すように、第一回転部材５６の沿端部５６ｂと第二回転部材５８の沿端部とは逆向きの「く」の字状の形状で筐体５４から突出する。すなわち、図４において、プラグアダプター装置５０の上下を逆にすると、プラグアダプター側筐体６０ａの下面に形成されるプラグアダプター６０をコンセントから抜き出すための機構は、図４と同一となるように対称性を有するようにプラグアダプター側筐体６０ａの下面に形成される。
【００４３】
押下部材５１は、略平板状の形状でも、人が押しやすいように凹形状の窪みを形成した形状でも良い。このとき、第一移動部材５５及び第二移動部材５７とが連結する側の形状は、押下部材５１を押した際にプラグアダプター側筐体６０ａに当たるため、略平面状の形状であることが好ましい。押下部材５１は、ゴムや合成樹脂などの材料、あるいはアルミニウムのような金属などから構成されるが、プラグアダプター６０の導電部材６１が電気的にコンセントと接続されるため、電気を帯びないゴムや合成樹脂などの材料であることが好ましい。特に、押下部材５１は、人が触れる部分であるため、電気を帯びない材料を用いることにより安全にプラグアダプター装置５０を離脱させることができる。図４においては図示しないが、押下部材５１とプラグアダプター側筐体６０ａとの間には、凹下部材５１を押した後に自動的に押下部材５１が元に戻るように弾性部材が設けられている。また、図４に示すように、停止部材５３が設けられ、停止部材５３は押下部材５１に回動自在に設けられる。押下部材５１には、停止部材を引っ掛けて固定する押下部材側係合部５１ａが設けられる。停止部材５３は、図４中においては、上下方向に押下部材５１を貫通して設けられ、貫通する貫通部分を軸として回転することができる。停止部材５３は、合成樹脂やアルミニウムのような金属などから構成されるが、押下部材５１が押されていないときに押下部材５１が押されるのを防止するため、合成樹脂や金属などの強固な材料であることが好ましい。筐体５４には、停止部材５３が引っ掛かる筐体側係合部５４ａが設けられており、押下部材５１の貫通部分を軸として筐体５４の方向へと回転した後に筐体側係合部５４ａに固定される。図５に示すように、例えば押下部材５１の表面に、プラグアダプター装置５０に連結されるプラグがどのような電気機器に接続されているか表示するシールなどを貼ることができる。この場合には、プラグアダプター装置５０に接続される電気機器を視覚的にわかり易くすることができる。
【００４４】
［第四の実施形態］
第四の実施形態におけるプラグ装置の構造について説明する。ここで、第四の実施形態におけるプラグ装置の構造について説明するが、第四の実施形態のプラグ装置は、第一の実施形態と同様に動作を行い、押下部材を押すことによりプラグ装置をコンセントから離脱させることができ、ここでは第四の実施形態の動作についての説明を省略する。
【００４５】
図６は、本発明における実施形態の一形態例を示す斜視図である。ここで、図６に示すプラグ装置７０は、例えば電気プラグを有するプラグ装置の一形態である。図６に示すように、プラグ装置７０は、プラグ８０と、プラグ８０の外部を覆う筐体７４とを有する。プラグ８０は、内部に電気線が収納され、導通部材８０ｂを電気コンセントに差し込む一般的な電気プラグである。なお、図６においては、コンセントの凹部に差し込むプラグ側筐体８０ａから突出する導通部材８０ｂが四本であるが、導通部材８０ｂの本数は、アース線に接続される導通部材が形成されて三本であっても良く、種々の本数を有するプラグ８０を用いることができる。また、プラグ８０には電気線を収納するコード８２が連結される。コード８２は、筐体７４上の接合部材８１により筐体７４と連結され、さらには筐体７４の内部のプラグ８０に連結されている。なお、図６においては、プラグ装置７０のコード８２はプラグ装置７０の側面つまり押下部材７１に対して略垂直な側面に形成されているが、押下部材７１に形成することができる。この場合、押下部材７１を通ってプラグ８０にコード８２が連結するように、押下部材７１に貫通孔が形成される。貫通孔は、押下部材７１が可動となるように余裕を持った大きさに形成される。コード８２は、貫通孔を通って押下部材７１とプラグ８０との間の弾性部材に当たらないようにしてプラグ８０に接続される。
【００４６】
プラグ８０は筐体７４に収納され、図６においてはプラグ８０の全体を筐体７４により覆われている。プラグ８０とプラグ８０を収納する筐体７４とは着脱自在に固定しても良いし、プラグ８０とプラグ側筐体８０ａとを一体に形成しても良い。例えば、図６においては、プラグ８０の外部に設けられる筐体７４は、筐体７４の側面でプラグ８０と着脱自在に固定され、プラグ８０を筐体７４から滑らせて外すことができる構造となっている。筐体７４は、ゴムや合成樹脂などの材料、あるいはアルミニウムのような金属などから構成されるが、プラグ８０の導電部材８１が電気的にコンセントと接続されるため、電気を帯びないゴムや合成樹脂などの材料であることが好ましい。特に、筐体７４は、人が触れる部分であるため、電気を帯びない材料を用いることにより安全にプラグ装置７０をコンセントに装着させることができる。筐体７４の形状は、プラグ８０を収納することができる形状である。例えば、図６に示すように、断面略矩形形状、断面略円形形状とすることができる。また、筐体７４の内部には、プラグ８０をコンセントから抜き出すための機構が設けられるため、機構が設けることができるように余裕が設けられる。そのため、筐体７４の形状は、断面略矩形形状とすることが好ましい。なお、筐体７４の大きさを大きくしすぎると、一般の従来におけるコンセントやタップコンセントに複数のプラグ装置７０を差し込むことが困難となる。そのため、プラグ装置８０は、従来のコンセントやタップコンセントのコンセントの大きさや間隔を考慮して設計される。
【００４７】
筐体７４とプラグ８０との間には、プラグ８０をコンセントから抜き出すための機構が設けられている。図６に示すように、プラグ８０をコンセントから抜き出すための機構は、プラグ８０のプラグ側筐体８０ａ上に設けられる移動部材及び回転部材を有する。移動部材及び回転部材は、ゴムや合成樹脂などの材料、あるいはアルミニウムのような金属などから構成されるが、プラグ８０の導電部材８１が電気的にコンセントと接続されるため、電気を帯びないゴムや合成樹脂などの材料であることが好ましい。移動部材は、プラグ８０をコンセントから抜き出すために押す押下部材７１に連結され、押下部材７１を押すことによりコンセントが形成される面に対して略垂直な方向に移動する。回転部材は、固定部材によりプラグ側筐体８０ａに固定され、固定部分を中心に回動自在に固定される。固定部材は、ゴムや合成樹脂などの材料、あるいはアルミニウムのような金属などから構成されるが、プラグ８０の導電部材８１が電気的にコンセントと接続されるため、電気を帯びない材料であることが好ましい。より好ましくは、固定部材は、回転部材をプラグ側筐体８０ａに固定するため、強固な材料、伝導性の低い金属材料を用いて構成することが好ましい。ここで、図６において、移動部材と回転部材は、断面略矩形形状のプラグ側筐体８０ａの二面に設けられ、図６中でプラグ側筐体８０ａの上側には第一移動部材７５、第一回転部材７６、第一固定部材７９とが設けられ、図６中でプラグ側筐体８０ａの下側には第二移動部材７７、第二回転部材７８、図示しない第二固定部材とが設けられる。ここで、図６においてはプラグ８０をコンセントから抜き出すための機構がプラグ側筐体８０ａの上下の二面に設けられているが、プラグ側筐体８０ａの四面のすべてに設けても良い。なお、プラグ８０を従来のコンセントやタップコンセントのコンセント間隔を考慮する場合、プラグ側筐体８０ａの四面のすべてに設けるとプラグ装置７０が大きくなるので、図６に示すようにプラグ側筐体８０ａの二面にプラグ８０をコンセントから抜き出すための機構を設けるのが好ましい。
【００４８】
プラグ側筐体８０ａ上の第一移動部材７５は、略平板上の形状を有する。図６に示すように、押下部材７１に連結される一端とは異なる第一移動部材７５の他端には、移動部材側鉤部７５ａが形成されている。移動部材側鉤部７５ａは、第一回転部材７６の一端が挿入される凹形状であり、図６のような「ワ」の字状の凹形状である。第一回転部材７６は、第一移動部材７５と同様に、略平板状の形状を有する。図６に示すように、第一回転部材７６の一端に第一移動部材７５の移動部材側鉤部７５ａに挿入される回転部材側鉤部７６ａが形成され、他端にはプラグ側筐体８０ａの外縁を表わす端部に沿った沿端部７６ｂが形成されている。回転部材側鉤部７６ａは、第一移動部材７５の移動部材側鉤部７５ａに挿入される凸形状であり、図６のような「く」の字状の凸形状である。回転部材側鉤部７６ａは、余裕を持って移動部材側鉤部７５ａに挿入されており、後述するように、移動部材側鉤部７５ａの「ワ」の字状の凹形状の内部を動き、第一固定部材７９を中心に「ワ」の字状の凹形状の内部を回転する。図６に示すように、回転部材側鉤部７６ａは「く」の字の一端をなすのに対して、沿端部７６ｂは、「く」の字の他端をなし、押下部材７１が押されていない状態のときにはプラグ側筐体８０ａの端部に沿っており、略直線形状をなしている。また、第一回転部材７６の「く」の字の頂点をなす部分は、筐体７４に収納されるとともに第一回転部材７６が回転する際に筐体７４に詰まることがないように滑らかな形状をなす。プラグ側筐体８０ａの下面に形成されるプラグ８０をコンセントから抜き出すための機構は、プラグ側筐体８０ａの上面に形成されるプラグ８０をコンセントから抜き出すための機構と同様に形成されるが、図６に示すように、第二回転部材７８の沿端部と第二回転部材７６の沿端部７６ｂとは逆向きの「く」の字状の形状で筐体７４から突出する。すなわち、図６において、プラグ装置７０の上下を逆にすると、プラグ側筐体８０ａの下面に形成されるプラグ８０をコンセントから抜き出すための機構は、図６と同一となるように対称性を有するようにプラグ側筐体８０ａの下面に形成される。
【００４９】
押下部材７１は、略平板状の形状でも、人が押しやすいように凹形状の窪みを形成した形状でも良い。このとき、第一移動部材７５及び第二移動部材７７とが連結する側の形状は、押下部材７１を押した際にプラグ側筐体８０ａに当たるため、略平面状の形状であることが好ましい。押下部材７１は、ゴムや合成樹脂などの材料、あるいはアルミニウムのような金属などから構成されるが、プラグ８０の導電部材８１が電気的にコンセントと接続されるため、電気を帯びないゴムや合成樹脂などの材料であることが好ましい。特に、押下部材７１は、人が触れる部分であるため、電気を帯びない材料を用いることにより安全にプラグ装置７０を離脱させることができる。図６においては図示しないが、押下部材７１とプラグ側筐体８０ａとの間には、凹下部材７１を押した後に自動的に押下部材７１が元に戻るように弾性部材が設けられている。また、図６に示すように、停止部材７３が設けられ、停止部材７３は押下部材７１に回動自在に設けられる。押下部材７１には、停止部材を引っ掛けて固定する押下部材側係合部７１ａが設けられる。停止部材７３は、図６中においては、上下方向に押下部材７１を貫通して設けられ、貫通する貫通部分を軸として回転することができる。停止部材７３は、合成樹脂やアルミニウムのような金属などから構成されるが、押下部材７１が押されていないときに押下部材７１が押されるのを防止するため、合成樹脂や金属などの強固な材料であることが好ましい。筐体７４には、停止部材７３が引っ掛かる筐体側係合部７４ａが設けられており、押下部材７１の貫通部分を軸として筐体７４の方向へと回転した後に筐体側係合部７４ａに固定される。また、例えば押下部材７１の表面に、プラグ装置７０がどのような電気機器に接続されているか表示するシールなどを貼ることができる。この場合には、プラグ装置７０に接続される電気機器を視覚的にわかり易くすることができる。
【００５０】
［第五の実施形態］
第五の実施形態におけるプラグ装置の構造について説明する。ここで、第五の実施形態におけるプラグ装置の構造について説明するが、第五の実施形態のプラグ装置は、第一の実施形態と同様に動作を行い、押下部材を押すことによりプラグ装置をコンセントから離脱させることができ、ここでは第五の実施形態の動作についての説明を省略する。
【００５１】
図７は、本発明における実施形態の一形態例を示す斜視図である。ここで、図７に示すプラグ装置９０は、例えば電気プラグを有するプラグ装置の一形態である。図７に示すように、プラグ装置９０は、プラグ１００と、プラグ１００の外部を覆う筐体９４とを有する。プラグ１００は、内部に電気線が収納され、導通部材１００ｂを電気コンセントに差し込む一般的な電気プラグである。図７に示すプラグ１００は、導電部材１００ｂが設けられるプラグ側筐体１００ａが断面略三角形形状であり、プラグ装置９０の筐体９４とプラグ側筐体１００ａとの接合部分を含めて略六角形形状のプラグである。つまり、図７に示すプラグ装置９０では、例えば、断面形状の短い辺でプラグ１００が接続される。なお、図７においては、コンセントの凹部に差し込むプラグ側筐体１００ａから突出する導通部材１００ｂが三本であるが、導通部材１００ｂの本数は、アース線に接続される導通部材が形成されて三本であっても良く、種々の本数を有するプラグ１００を用いることができる。また、プラグ１００には電気線を収納するコード１０２が連結される。コード１０２は、筐体９４上の接合部材１０１により筐体９４と連結され、さらには筐体９４の内部のプラグ１００に連結されている。なお、図７においては、プラグ装置９０のコード１０２はプラグ装置９０の側面つまり押下部材９１に対して略垂直な側面に形成されているが、押下部材９１に形成することができる。この場合、押下部材９１を通ってプラグ１００にコード１０２が連結するように、押下部材９１に貫通孔が形成される。貫通孔は、押下部材９１が可動となるように余裕を持った大きさに形成される。コード１０２は、貫通孔を通って押下部材９１とプラグ１００との間の弾性部材に当たらないようにしてプラグ１００に接続される。
【００５２】
プラグ１００は筐体９４に収納され、図７においてはプラグ１００の全体を筐体９４により覆われている。プラグ１００とプラグ１００を収納する筐体９４とは着脱自在に固定しても良いし、プラグ１００とプラグ側筐体１００ａとを一体に形成しても良い。例えば、図７においては、プラグ１００の外部に設けられる筐体９４は、筐体９４の側面でプラグ１００と着脱自在に固定され、プラグ１００を筐体９４から滑らせて外すことができる構造となっている。筐体９４は、ゴムや合成樹脂などの材料、あるいはアルミニウムのような金属などから構成されるが、プラグ１００の導電部材１０１が電気的にコンセントと接続されるため、電気を帯びないゴムや合成樹脂などの材料であることが好ましい。特に、筐体９４は、人が触れる部分であるため、電気を帯びない材料を用いることにより安全にプラグ装置９０をコンセントに装着させることができる。筐体９４の形状は、プラグ１００を収納することができる形状である。例えば、図７に示すように、断面略矩形形状、断面略円形形状とすることができる。また、筐体９４の内部には、プラグ１００をコンセントから抜き出すための機構が設けられるため、機構が設けることができるように余裕が設けられる。そのため、筐体９４の形状は、断面略矩形形状とすることが好ましい。なお、筐体９４の大きさを大きくしすぎると、一般の従来におけるコンセントやタップコンセントに複数のプラグ装置９０を差し込むことが困難となる。そのため、プラグ装置１００は、従来のコンセントやタップコンセントのコンセントの大きさや間隔を考慮して設計される。
【００５３】
筐体９４とプラグ１００との間には、プラグ１００をコンセントから抜き出すための機構が設けられている。図７に示すように、プラグ１００をコンセントから抜き出すための機構は、プラグ１００のプラグ側筐体１００ａ上に設けられる移動部材及び回転部材を有する。移動部材及び回転部材は、ゴムや合成樹脂などの材料、あるいはアルミニウムのような金属などから構成されるが、プラグ１００の導電部材１０１が電気的にコンセントと接続されるため、電気を帯びないゴムや合成樹脂などの材料であることが好ましい。移動部材は、プラグ１００をコンセントから抜き出すために押す押下部材９１に連結され、押下部材９１を押すことによりコンセントが形成される面に対して略垂直な方向に移動する。回転部材は、固定部材によりプラグ側筐体１００ａに固定され、固定部分を中心に回動自在に固定される。固定部材は、ゴムや合成樹脂などの材料、あるいはアルミニウムのような金属などから構成されるが、プラグ１００の導電部材１０１が電気的にコンセントと接続されるため、電気を帯びない材料であることが好ましい。より好ましくは、固定部材は、回転部材をプラグ側筐体１００ａに固定するため、強固な材料、伝導性の低い金属材料を用いて構成することが好ましい。ここで、図７において、移動部材と回転部材は、断面略矩形形状のプラグ側筐体１００ａの三面に設けられ、図７中でプラグ側筐体１００ａの上側には第一移動部材９５、第一回転部材９６、及び第一固定部材９９が設けられ、図７中下側奥には第二移動部材（図示せず）、第二回転部材９７、及び第二固定部材（図示せず）が設け、図７中下側手前には第三移動部材（図示せず）、第三回転部材９８、及び第三固定部材（図示せず）が設けられる。ここで、図７においてはプラグ１００をコンセントから抜き出すための機構がプラグ側筐体１００ａの各三面に設けられるため、プラグ装置９０をより簡便に抜き出すことができるようになる。
【００５４】
プラグ側筐体１００ａ上の第一移動部材９５は、略平板上の形状を有する。図７に示すように、押下部材９１に連結される一端とは異なる第一移動部材９５の他端には、移動部材側鉤部９５ａが形成されている。移動部材側鉤部９５ａは、第一回転部材９６の一端が挿入される凹形状であり、図７のような「ワ」の字状の凹形状である。第一回転部材９６は、第一移動部材９５と同様に、略平板状の形状を有する。図７に示すように、第一回転部材９６の一端に第一移動部材９５の移動部材側鉤部９５ａに挿入される回転部材側鉤部９６ａが形成され、他端にはプラグ側筐体１００ａの外縁を表わす端部に沿った沿端部９６ｂが形成されている。回転部材側鉤部９６ａは、第一移動部材９５の移動部材側鉤部９５ａに挿入される凸形状であり、図７のような「く」の字状の凸形状である。回転部材側鉤部９６ａは、余裕を持って移動部材側鉤部９５ａに挿入されており、後述するように、移動部材側鉤部９５ａの「ワ」の字状の凹形状の内部を動き、第一固定部材９９を中心に「ワ」の字状の凹形状の内部を回転する。図７に示すように、回転部材側鉤部９６ａは「く」の字の一端をなすのに対して、沿端部９６ｂは、「く」の字の他端をなし、押下部材９１が押されていない状態のときにはプラグ側筐体１００ａの端部に沿っており、略直線形状をなしている。また、第一回転部材９６の「く」の字の頂点をなす部分は、筐体９４に収納されるとともに第一回転部材９６が回転する際に筐体９４に詰まることがないように滑らかな形状をなす。プラグ側筐体１００ａの下面に形成されるプラグ１００をコンセントから抜き出すための機構は、プラグ側筐体１００ａの各三面に形成されるプラグ１００をコンセントから抜き出すための機構と同様に形成されるが、図７に示すように、第一回転部材９６の沿端部９６ｂ、第二回転部材９７の沿端部、第三回転部材９８の沿端部は逆向きの「く」の字状の形状で筐体９４から突出する。
【００５５】
押下部材９１は、略平板状の形状でも、人が押しやすいように凹形状の窪みを形成した形状でも良い。このとき、第一移動部材９５、第二移動部材、及び第三移動部材が連結する側の形状は、押下部材９１を押した際にプラグ側筐体１００ａに当たるため、略平面状の形状であることが好ましい。押下部材９１は、ゴムや合成樹脂などの材料、あるいはアルミニウムのような金属などから構成されるが、プラグ１００の導電部材１０１が電気的にコンセントと接続されるため、電気を帯びないゴムや合成樹脂などの材料であることが好ましい。特に、押下部材９１は、人が触れる部分であるため、電気を帯びない材料を用いることにより安全にプラグ装置９０を離脱させることができる。図７においては図示しないが、押下部材９１とプラグ側筐体１００ａとの間には、凹下部材９１を押した後に自動的に押下部材９１が元に戻るように弾性部材が設けられている。また、図７に示すように、停止部材９３が設けられ、停止部材９３は押下部材９１に回動自在に設けられる。押下部材９１には、停止部材を引っ掛けて固定する押下部材側係合部９１ａが設けられる。停止部材９３は、図７中においては、上下方向に押下部材９１を貫通して設けられ、貫通する貫通部分を軸として回転することができる。停止部材９３は、合成樹脂やアルミニウムのような金属などから構成されるが、押下部材９１が押されていないときに押下部材９１が押されるのを防止するため、合成樹脂や金属などの強固な材料であることが好ましい。筐体９４には、停止部材９３が引っ掛かる筐体側係合部９４ａが設けられており、押下部材９１の貫通部分を軸として筐体９４の方向へと回転した後に筐体側係合部９４ａに固定される。また、例えば押下部材９１の表面に、プラグ装置９０がどのような電気機器に接続されているか表示するシールなどを貼ることができる。この場合には、プラグ装置９０に接続される電気機器を視覚的にわかり易くすることができる。
【００５６】
以上のように、本実施形態においては、押下部材を押さえることにより、移動部材が移動し、回転部材がプラグの筐体やプラグアダプターの筐体に固定される部分を中心として回転することができる。回転部材が回転することにより、プラグ装置やプラグアダプター装置の筐体の外部に回転部材の一端が突出し、コンセントが形成される壁やタップコンセントの筐体を押すことができる。そのため、押下部材を押すことによりプラグやプラグアダプターをコンセントやプラグアダプターから簡便に離脱させることができ、片手で押下部材を押して容易にプラグやプラグアダプターをコンセントから抜き取ることができる。
【００５７】
さらに、プラグやプラグアダプターをコンセントから簡便に離脱させることができるため、プラグやプラグアダプターを持つ手を周囲にぶつけることなく抜き取ることができ、負傷を負う危険性を回避することができる。特に、タップコンセントにプラグを差し込んで電気機器を使用する場合、タップコンセントを片手で押さえることなくプラグやプラグアダプターを抜くことができる。そのため、タップコンセントのような安定しないコンセントであっても、片手でプラグやプラグアダプターを容易に抜くことができる。
【００５８】
またさらに、プラグをコンセントから抜き出す際に容易に抜き出すことができるため、プラグに接続されるコードを持つことなく押下部材を押して容易に抜くことができ、コード内部の電気線が断線するのを防ぐことができ、プラグ部分から火災が発生するのを防止することができる。そして、コンセントからプラグやプラグアダプターを抜く際、瞬時のうちにプラグやプラグアダプターを簡便に抜くことができるため、プラグやプラグアダプターの電極に手が触れるのを防ぐことができ、手に電流が導通して感電するのを防止することができる。
【００５９】
また、本実施形態においては、押下部材とプラグやプラグアダプターとの間に弾性部材を設けることにより、押下部材を自動で元の状態に戻すことができ、コンセントからプラグやプラグアダプターを抜いた後に押下部材を元に戻す手間を省くことができる。そのため、コンセントにプラグやプラグアダプターをコンセントに差し込み、押下部材を押してコンセントからプラグやプラグアダプターを抜くという動作により、簡便且つ容易に、そして安全にプラグやプラグアダプターを使用することができる。さらに、押下部材に停止部材を設けることにより、押下部材が偶然に押されてコンセントからプラグやプラグアダプターが勝手に抜けるのを防ぐことができる。
【００６０】
なお、本発明の実施の形態においては、一般的な電気装置に電力を供給するプラグ、マイクやイヤホンなどの入出力装置を接続して電気信号の送受信を行うプラグに適用した入出力プラグ装置、複数のプラグを接続されて複数の電気装置に対して電力を供給するプラグアダプターに適用したプラグアダプター装置について説明したが、本発明は、これらのプラグ及びプラグアダプターに限らず、信号の入出力や燃料の供給を行うためのプラグやプラグアダプター、さらには凹部に対して凸部を勘合させるプラグやプラグアダプターに適用することが可能である。
【００６１】
【発明の効果】
本発明によれば、コンセントからプラグを簡便に離脱させることができるプラグ装置、及びコンセントからプラグアダプターを簡便に離脱させることができるプラグアダプター装置を提供することができる。
【図面の簡単な説明】
【図１】本発明の第一の実施形態におけるプラグ装置を示す斜視図である。
【図２】本発明の第一の実施形態におけるプラグ装置の動作を示す断面図であり、（ａ）は押下部材の押下前、（ｂ）は押下部材の押下後を示す。
【図３】本発明の第二の実施形態におけるプラグ装置を示す斜視図である。
【図４】本発明の第三の実施形態におけるプラグアダプター装置を示す斜視図である。
【図５】本発明の第三の実施形態におけるプラグアダプター装置の一形態例を示す斜視図である。
【図６】本発明の第四の実施形態におけるプラグ装置を示す斜視図である。
【図７】本発明の第五の実施形態におけるプラグ装置を示す斜視図である。
【符号の説明】
１０，７０，９０　プラグ装置、　３０　入出力プラグ装置、　５０　プラグアダプター装置、　１１，３１，５１，７１，９１　押下部材、　１１ａ，３１ａ，５１ａ，７１ａ，９１ａ　押下部材側係合部、　１２　弾性部材、　１３，３３，５３，７３，９３　停止部材、　１４，３４，５４，７４，９４　筐体、　１４ａ，３４ａ，５４ａ，７４ａ，９４ａ　筐体側係合部、　１５，３５，５５，７５，９５　第一移動部材、　１５ａ，３５ａ，５５ａ，７５ａ，９５ａ　移動部材側鉤部、　１６，３６，５６，７６，９６　第一回転部材、　１６ａ，３６ａ，５６ａ，７６ａ，９６ａ　回転部材側鉤部、　１６ｂ，３６ｂ，５６ｂ，７６ｂ，９６ｂ　沿端部、　１７，３７，５７，７７　第二移動部材、　１８，３８，５８，７８、９７　第二回転部材、　９８　第三回転部材、
１９，３９，５９，７９，９９　第一固定部材、　２０，８０，１００　プラグ、　６０　プラグアダプター、
２０ａ，４０ａ，８０ａ，１００ａ　プラグ側筐体、　６０ａ　プラグアダプター側筐体、　２０ｂ，４０ｂ，６０ｂ，８０ｂ，１００ｂ　導通部材、　２１，４１，８１，１０１　接合部材、　２２，４２，８２，１０２　コード、　６１嵌合部
【図１】
2004022323.tif 000003
【図２】
2004022323.tif 000004
【図３】
2004022323.tif 000005
【図４】
2004022323.tif 000006
【図５】
2004022323.tif 000007
【図６】
2004022323.tif 000008
【図７】
2004022323.tif 000009